(57)【要約】【課題】ホルダーシャフトによってトイレットペーパーを支持する仕様のペーパーホルダーにおいて、芯ありトイレットペーパーと芯なしトイレットペーパーの両方に対応することができるようにホルダーシャフトを取り替え自在としたペーパーホルダーを提供することを目的とする。【解決手段】ホルダー本体５に対して、芯なし用ホルダーシャフト２０と芯あり用ホルダーシャフト５０を取り替え自在に装着可能とすることで、芯なしトイレットペーパー対応のペーパーホルダーＡ１又は芯ありトイレットペーパー対応のペーパーホルダーＡ２とすることができ、凹部１６及び凹部１８，１８に取り付ける部材を着脱して付け替えることにより、もう一方の種類のトイレットペーパーにも対応することができる。【選択図】図９
2017051332.tif 000002
【特許請求の範囲】
【請求項１】
左右側板と、前記左右側板に対して回動自在に軸支された紙切板と、を備えたペーパーホルダーにおいて、
芯なし用ホルダーシャフトと芯あり用ホルダーシャフトを取り替え自在に装着可能な構造とするとともに、
前記芯なし用ホルダーシャフトは、
トイレットペーパーの幅員に略対応した芯なし用シャフト本体と、前記左右側板の一方に設けられた凹部に取り外し自在に装着される軸部材と、を備え、前記芯なし用シャフト本体は、基部に設けられた回転用パイプと、前記左右側板の他方に設けられた凹部に取外し自在に装着されたシャフト受けによって保持される先端と、を有し、前記軸部材は、前記回転用パイプが遊嵌されることにより前記芯なし用シャフト本体を回転自在に支持するための支持軸を有し、
前記芯あり用ホルダーシャフトは、
芯あり用シャフト本体と、前記左右側板の一方に設けられた凹部に取り外し自在に装着される軸部材と、を備え、芯あり用シャフト本体は、基部に設けられた回転用パイプを有し、前記軸部材は、前記回転用パイプが遊嵌されることにより前記芯あり用シャフト本体を回転自在に支持するための支持軸を有し、
前記凹部には、前記軸部材の一部を係止する被取付部が設けられ、前記被取付部は、前記芯なし用ホルダーシャフト又は前記芯あり用ホルダーシャフトを前記凹部に装着した状態において、前記支持軸よりも後方に位置することを特徴とするペーパーホルダー。
【請求項２】
前記芯あり用ホルダーシャフトを前記凹部に装着した状態での前記左右側板に対する前記芯あり用シャフト本体の上端の高さ位置が、前記芯なし用ホルダーシャフトを前記凹部に装着した状態での前記左右側板に対する前記芯なし用シャフト本体の上端の高さ位置よりも高いことを特徴とする、請求項１記載のペーパーホルダー。
【請求項３】
前記芯なし用ホルダーシャフト又は前記芯あり用ホルダーシャフトと前記被取付部との取付方法はスナップフィットである、請求項１又は２記載のペーパーホルダー。
【発明の詳細な説明】
【技術分野】
【０００１】
本発明は、ペーパーホルダーに関し、特にロール状のトイレットペーパーのペーパーホルダーに関する。
【背景技術】
【０００２】
一般的に、ロール状のトイレットペーパーには、筒状の芯にペーパーを巻き回した芯ありトイレットペーパーと筒状の芯がなくペーパーを巻き回した芯なしトイレットペーパーがある。芯なしトイレットペーパーには円筒軸に沿って形成されるホルダーシャフトを挿通するための孔があり、この孔の径は芯ありトイレットペーパーの筒状の芯の径に比べて小さくなっている。
【０００３】
これらのトイレットペーパーをトイレルームにおいて保持するペーパーホルダーとしては、左右側板と、少なくともどちらか一方の左右側板の内側に設けられたホルダーシャフトと、を備え、ホルダーシャフトによってトイレットペーパーを回動可能に支持することで、トイレットペーパーをペーパーホルダー内に保持するものが知られている。
【０００４】
このようにホルダーシャフトによってトイレットペーパーを支持する仕様のペーパーホルダーでは、芯なしトイレットペーパーに対応したペーパーホルダーのホルダーシャフトと芯ありトイレットペーパーに対応したペーパーホルダーのホルダーシャフトとでは径が異なるため、芯ありトイレットペーパーと芯なしトイレットペーパーでは、同一のペーパーホルダーで対応することができなかった。
【０００５】
そのため、最低でもホルダーシャフトを各々に合わせた別々の形状を採用しなければならず、芯ありトイレットペーパー対応ペーパーホルダーと芯なしトイレットペーパー対応ペーパーホルダーの２種類のペーパーホルダーを品揃えしてきた。
【０００６】
しかしながら、いったん一方の種類のペーパーホルダーで施工してしまうと、他方の種類のペーパーホルダー用のトイレットペーパーに対応できなくなってしまう。そのため、利用者としてはトイレットペーパー選択の余地を狭められるというデメリットがある。また、トイレットペーパー及びペーパーホルダーの製造、販売者としては、２種類のトイレットペーパー及びペーパーホルダーを品揃えすることによるコストアップのデメリットがあった。
【０００７】
そこで、ホルダーシャフトを設けずトイレットペーパーを内部に収納保持する収納室を備えることで、芯ありトイレットペーパーと芯なしトイレットペーパーの両方に対応できるペーパーホルダーも知られている（特許文献１参照）。
【先行技術文献】
【特許文献】
【０００８】
【特許文献１】特開平９−３７９９３号公報
【発明の概要】
【発明が解決しようとする課題】
【０００９】
しかしながら、特許文献１のようなペーパーホルダーは、トイレットペーパーを収納する収納室を設けているため、ホルダーシャフトによってトイレットペーパーを支持する仕様のペーパーホルダーと比べてペーパーホルダー自体の大きさが大きくなってしまうため、ペーパーホルダーの設置スペースの制約や意匠性の低下が生じる。
【００１０】
また、トイレットペーパーをペーパーホルダーにセットする際には、一度カバーを開き、トイレットペーパーの端部を引出し口に入れるようにしてトイレットペーパーを収納室に落とし込んでカバーを閉じるといったように、使用者にとって大きな手間が生じるため、トイレットペーパー交換時の作業負荷が増大してしまう。
【００１１】
本発明は、上述した課題を解決するためになされたものであり、ホルダーシャフトによってトイレットペーパーを支持する仕様のペーパーホルダーにおいて、芯ありトイレットペーパーと芯なしトイレットペーパーの両方に対応することができるようにホルダーシャフトを取り替え自在としたペーパーホルダーを提供することを目的とする。
【課題を解決するための手段】
【００１２】
上記目的を達成するために、本発明の一態様に係るペーパーホルダーによれば、左右側板と、左右側板に対して回動自在に軸支された紙切板と、を備えたペーパーホルダーにおいて、芯なし用ホルダーシャフトと芯あり用ホルダーシャフトを取り替え自在に装着可能な構造とするとともに、芯なし用ホルダーシャフトは、トイレットペーパーの幅員に略対応した芯なし用シャフト本体と、左右側板の一方に設けられた凹部に取り外し自在に装着される軸部材と、を備え、芯なし用シャフト本体は、基部に設けられた回転用パイプと、左右側板の他方に設けられた凹部に取外し自在に装着されたシャフト受けによって保持される先端と、を有し、軸部材は、回転用パイプが遊嵌されることにより芯なし用シャフト本体を回転自在に支持するための支持軸を有し、芯あり用ホルダーシャフトは、芯あり用シャフト本体と、左右側板の一方に設けられた凹部に取り外し自在に装着される軸部材と、を備え、芯あり用シャフト本体は、基部に設けられた回転用パイプを有し、軸部材は、回転用パイプが遊嵌されることにより芯あり用シャフト本体を回転自在に支持するための支持軸を有し、凹部には、軸部材の一部を係止する被取付部が設けられ、被取付部は、芯なし用ホルダーシャフト又は芯あり用ホルダーシャフトを凹部に装着した状態において、支持軸よりも後方に位置する。
【００１３】
この構成によれば、ペーパーホルダーを、芯なし用ホルダーシャフトと芯あり用ホルダーシャフトを左右側板に設けられた凹部に取り替え自在に装着可能な構造とし、芯なし用ホルダーシャフトと芯あり用ホルダーシャフトを取り替えることで、一つのペーパーホルダーで、芯なしトイレットペーパーと芯ありトイレットペーパーの両方に対応することができる。また、回転自在な芯なし用シャフト本体及び芯あり用シャフト本体によってトイレットペーパーを支持する仕様のペーパーホルダーであるため、ホルダーシャフトを設けずに収納室を備えたペーパーホルダーに比べて、ペーパーホルダーの設置スペースの制約や意匠性の低下を抑制することができ、トイレットペーパーの交換が容易である。加えて、芯なし用ホルダーシャフト又は芯あり用ホルダーシャフトを左右側板の凹部に装着した状態において、被取付部は、支持軸よりも後方に位置するため、トイレットペーパーを引き出すときやトイレットペーパーを交換する際において、トイレットペーパーや使用者の手が被取付部に不意に接触し、芯なし用ホルダーシャフト又は芯あり用ホルダーシャフトが側板から誤って外れてしまうのを抑制することができる。
【００１４】
また、本発明の一態様に係るペーパーホルダーは、芯あり用ホルダーシャフトを凹部に装着した状態での左右側板に対する芯あり用シャフト本体の上端の高さ位置が、芯なし用ホルダーシャフトを凹部に装着した状態での左右側板に対する芯なし用シャフト本体の上端の高さ位置よりも高くてもよい。
【００１５】
このように構成された本発明においては、芯ありトイレットペーパーの挿通孔の径は芯なしトイレットペーパーの挿通孔の径よりも大きいため、芯あり用ホルダーシャフトを左右側板に取り付けた状態での左右側板に対する芯あり用シャフト本体の上端の高さ位置が、芯なし用ホルダーシャフトを左右側板に取り付けた状態での左右側板に対する芯なし用シャフト本体の上端の高さ位置よりも高くすることで、芯あり用シャフト本体によって芯ありトイレットペーパーを支持したときの側板に対する芯ありトイレットペーパーの高さ位置と、芯なし用シャフト本体によって芯なしトイレットペーパーを支持したときの側板に対する芯なしトイレットペーパーの高さ位置をなるべく同じにすることができる。したがって、トイレットペーパーの高さ位置の違いによる紙切り板のカット性能の低下を抑制することができる。
【００１６】
また、本発明の一態様に係るペーパーホルダーは、芯なし用ホルダーシャフト又は芯あり用ホルダーシャフトと被取付部との取付方法はスナップフィットであってもよい。
【００１７】
このように構成された本発明においては、芯なし用ホルダーシャフト又は芯あり用ホルダーシャフトと被取付部との取付方法はスナップフィットであるため、装着された芯なし用ホルダーシャフト又は芯あり用ホルダーシャフトは、トイレットペーパーを引き出すときやトイレットペーパーを交換する際においては外れにくく、交換するときは取り外しやすい。
【発明の効果】
【００１８】
本発明によれば、ホルダーシャフトによってトイレットペーパーを支持する仕様のペーパーホルダーにおいて、芯ありトイレットペーパーと芯なしトイレットペーパーの両方に対応することができるようにホルダーシャフトを取り替え自在としたペーパーホルダーを提供することができる。
【図面の簡単な説明】
【００１９】
【図１】本発明の実施形態による芯なしトイレットペーパー対応ペーパーホルダーの全体正面図である。
【図２】本発明の実施形態による芯なしトイレットペーパー対応ペーパーホルダーの斜視分解図である。
【図３】本発明の実施形態による第一軸部材の後方斜視図である。
【図４】本発明の実施形態による第二軸部材の後方斜視図である。
【図５】本発明の実施形態による芯ありトイレットペーパー対応ペーパーホルダーの全体正面図である。
【図６】本発明の実施形態による芯ありトイレットペーパー対応ペーパーホルダーの斜視分解図である。
【図７】本発明の実施形態による第三軸部材の後方斜視図である。
【図８】本発明の実施形態による第四軸部材の後方斜視図である。
【図９】本発明の実施形態による芯なし用ホルダーシャフトを側板部に取り付けたときの下方から視た拡大図である。
【図１０】本発明の実施形態による芯なし用ホルダーシャフトをホルダー本体から外す方法を説明した図である。
【図１１】本発明の実施形態による芯なし用ホルダーシャフトをホルダー本体へ取り付ける方法を説明した図である。
【図１２】本発明の実施形態による芯なし用ホルダーシャフトを仕切板部に取り付けたときの下方から視た拡大図である。
【発明を実施するための形態】
【００２０】
図面を参照して、本発明の実施形態によるペーパーホルダーを以下に説明する。
【００２１】
＜芯なしトイレットペーパー対応ペーパーホルダーの構成＞
まず、図１〜４を参照して、本発明の実施形態による芯なしトイレットペーパー対応ペーパーホルダーの全体構成について説明する。図１は、本発明の実施形態による芯なしトイレットペーパー対応ペーパーホルダーの全体正面図である。図２は、本発明の実施形態による芯なしトイレットペーパー対応ペーパーホルダーの斜視分解図である。図３は、本発明の実施形態による第一軸部材の後方斜視図である。図４は、本発明の実施形態による第二軸部材の後方斜視図である。
【００２２】
図１，２に示すように、本発明の実施形態によるペーパーホルダーＡ１は、２個のロール状の芯なしトイレットペーパーＲ１を左右に並べて設置できる２連式の芯なしトイレットペーパー対応ペーパーホルダーであり、ホルダー本体５と、芯なし用ホルダーシャフト２０と、紙切板４０と、を有する。
【００２３】
ホルダー本体５は、ＡＢＳ（Acrylonitrile Butadiene Styrene）樹脂材によって前側と下側が開口した箱状の本体部１０が２個左右横並びになるよう一体的に形成されたものであり、天板部１１と、背板部１３と、側板部１５，１５と、仕切板部１７と、を有する。２つの芯なしトイレットペーパーＲ１は、それぞれ箱状の本体部１０の中に収容される。
【００２４】
側板部１５，１５と仕切板部１７は、側板部１５，１５の間に仕切板部１７を配置しつつそれぞれ間隔を空けて互いに面平行な位置関係で設けてある。側板部１５，１５と仕切板部１７の上面側及び背面側は、天板部１１及び背板部１３が連結されている。左右の本体部１０は、トイレットペーパーの収容空間を形成する部分として、仕切板部１７を共有する。つまり、各本体部１０においては、側板部１５と、仕切板部１７とが、左右の側板に相当する。
【００２５】
側板部１５，１５は、上面が開口した中空状のものであり、側板部１５，１５の内面には、前側と下側、及び内側が開口した凹部１６，１６が設けられる。また、仕切板部１７は、上面が開口した中空状のものであり、仕切板部１７の両側面には、前側と下側、及び外側が開口した凹部１８，１８が設けられる。ペーパーホルダーＡ１において、凹部１６と凹部１８には、芯なし用ホルダーシャフト２０が取り外し自在に装着される。
【００２６】
＜芯なし用ホルダーシャフトの構成＞
芯なし用ホルダーシャフト２０は、凹部１６に取り外し自在に装着した棒状の芯なし用シャフト本体２１の先端２１ａを、凹部１８に取り外し自在に装着したシャフト受け３０によって下方から保持することで、芯なし用シャフト本体２１を側板部１５と仕切板部１７の間に架設した構造である。これにより、芯なしトイレットペーパーＲ１は、芯なし用シャフト本体２１によって支持されることで、本体部１０内において回転可能に設置することができる。
【００２７】
＜芯なし用シャフト本体の構成＞
芯なし用シャフト本体２１は、芯なしトイレットペーパーＲ１の幅員に略対応した一本のシャフトであり、基部に上下に開口した回転用パイプ２３が設けられている。この回転用パイプ２３を第一軸部材２５に設けられた支持軸２７に遊嵌した状態で第一軸部材２５を凹部１６に装着することで、芯なし用シャフト本体２１は、回転用パイプ２３を軸として回動自在となる。
【００２８】
回転用パイプ２３と支持軸２７との間には、コイルばね２４が介装されている。コイルばね２４は、凹部１６に装着した芯なし用シャフト本体２１を回動させた場合に、芯なし用シャフト本体２１を元の位置に復帰させるように芯なし用シャフト本体２１に弾性力を与える。
【００２９】
＜第一軸部材の構成＞
図３に示すように、第一軸部材２５は、前後方向に延びる水平部２６と、水平部２６の上面前方寄りから上方へ延びて回転用パイプ２３が遊嵌される支持軸２７と、水平部２６の後端に設けられた取付部２８と、を有する。
【００３０】
支持軸２７は、前後に分割された２つの半円筒部に分けられ、前方の半円筒部の前面上部には、前方に向かって突出した前方フック２７ａが設けられ、後方の半円筒部の後面上部には、後方に向かって突出した後方フック２７ｂが設けられている。
【００３１】
凹部１６上面には貫通孔１６ａが設けられており、貫通孔１６ａの上方には、貫通孔１６ａとの関係で段状に形成された被係止部１６ｂが設けられる。第一軸部材２５を凹部１６に装着した状態においては、貫通孔１６ａに挿入された支持軸２７の前方フック２７ａと後方フック２７ｂが、貫通孔１６ａの上方の被係止部１６ｂに係止している。
【００３２】
取付部２８は、第一軸部材２５が凹部１６に取り外し自在に装着できるようにするためのものであり、左右に突出した凸部２８ａと、下端において後方に向けて突出した操作部２８ｂと、を有する。
【００３３】
第一軸部材２５を凹部１６に装着した状態においては、凸部２８ａと後述する凹部１６に設けられた被取付部１６ｃとが係止しており、凸部２８ａと被取付部１６ｃとの係止方法がスナップフィットであるため、操作部２８ｂを操作することにより、凸部２８ａと被取付部１６ｃとの係止を解除することが可能である。
【００３４】
＜シャフト受けの構成＞
シャフト受け３０は、芯なし用シャフト本体２１の先端２１ａを下方から保持するシャフト受け部３２を有しており、基部に上下に開口した回転用パイプ３３が設けられている。この回転用パイプ３３を第二軸部材３５に設けられた支持軸３７に遊嵌した状態で、第二軸部材３５を凹部１８に装着する。
【００３５】
シャフト受け部３２は、芯なし用シャフト本体２１の先端２１ａを上面に載置することで、芯なし用シャフト本体２１を下方から保持する突起であり、この突起の上方側には湾曲状の溝が形成されている。この湾曲状の溝が形成されていることにより、芯なし用ホルダーシャフト２０がホルダー本体５に装着された状態において、載置された芯なし用シャフト本体２１の先端２１ａを上方へ持ち上げて、芯なし用シャフト本体２１をシャフト受け３０から取り外すことができる。
【００３６】
＜第二軸部材の構成＞
図４に示すように、第二軸部材３５は、前後方向に延びる水平部３６と、水平部３６の上面前方寄りから上方へ延びて回転用パイプ３３が遊嵌される支持軸３７，３７と、水平部３６の後端に設けられた取付部３８と、を有する。
【００３７】
支持軸３７は、前後に分割された２つの半円筒部に分けられ、前方の半円筒部の前面上部には、前方に向かって突出した前方フック３７ａが設けられ、後方の半円筒部の後面上部には、後方に向かって突出した後方フック３７ｂが設けられている。
【００３８】
凹部１８上面には貫通孔１８ａが設けられており、貫通孔１８ａの上方には、貫通孔１８ａとの関係で段状に形成された被係止部１８ｂが設けられる。第二軸部材３５を凹部１８，１８に装着した状態においては、貫通孔１８ａに挿入された支持軸３７の前方フック３７ａと後方フック３７ｂが、貫通孔１８ａの上方の被係止部１８ｂに係止している。
【００３９】
取付部３８は、第二軸部材３５が凹部１８に取り外し自在に装着できるようにするためのものであり、左右に突出した凸部３８ａと、下端において後方に向けて突出した操作部３８ｂと、を有する。
【００４０】
シャフト受け３０を凹部１８，１８に装着した状態においては、凸部３８ａと後述する凹部１８，１８に設けられた被取付部１８ｃとが係止しており、凸部３８ａと被取付部１８ｃとの係止方法がスナップフィットであるため、操作部３８ｂを操作することにより、凸部３８ａと被取付部１８ｃとの係止を解除することが可能である。
【００４１】
紙切板４０は、略矩形板状であり、左右側面の後端において外側へ突出した円柱形状の突起である軸支部４１と、先端において多数形成された円柱形状の突起である紙切部４２と、を有する。
【００４２】
側板部１５，１５の内面の上部後方寄りには、被軸支部１５ａ，１５ａが設けられており、仕切板部１７の両側面の上部後方寄りには、被軸支部１７ａ，１７ａが設けられている。この被軸支部１５ａ及び被軸支部１７ａに軸支部４１を嵌合させることにより、紙切板４０が、本体部１０内において上下方向へ回動自在に軸支される。また、使用者が任意の長さまで引き出した芯なしトイレットペーパーＲ１を、本体部１０内に設置した紙切板４０の紙切部４２に押し当てることにより、紙切部４２が芯なしトイレットペーパーＲ１のペーパー切断を補助する。
【００４３】
使用者が芯なしトイレットペーパーＲ１を本体部１０内に設置する際には、シャフト受け部３２によって保持された芯なし用シャフト本体２１の先端２１ａを上方へ持ち上げつつ前方に水平回動させ、芯なし用シャフト本体２１を芯なしトイレットペーパーＲ１の挿通孔Ｏ１に挿通させる。そして、芯なし用シャフト本体２１を挿通孔Ｏ１に貫通させた後に、芯なし用シャフト本体２１を上方へ持ち上げつつ後方に水平回動させ、芯なし用シャフト本体２１の先端２１ａをシャフト受け部３２の上面に載置する。これにより、本体部１０内への芯なしトイレットペーパーＲ１の設置が完了する。
【００４４】
＜芯ありトイレットペーパー対応ペーパーホルダーの構成＞
次に、図５〜８を参照して、本発明の実施形態による芯ありトイレットペーパー対応ペーパーホルダーの全体構成について説明する。図５は、本発明の実施形態による芯ありトイレットペーパー対応ペーパーホルダーの全体正面図である。図６は、本発明の実施形態による芯ありトイレットペーパー対応ペーパーホルダーの斜視分解図である。図７は、本発明の実施形態による第三軸部材の後方斜視図である。図８は、本発明の実施形態による第四軸部材の後方斜視図である。
【００４５】
図５，６に示すように、本発明の実施形態によるペーパーホルダーＡ２は、２個のロール状の芯ありトイレットペーパーＲ２を左右に並べて設置できる２連式の芯ありトイレットペーパー対応ペーパーホルダーであり、ペーパーホルダーＡ１における芯なし用ホルダーシャフト２０を、芯あり用ホルダーシャフト５０に取り替えたものである。
【００４６】
＜芯あり用ホルダーシャフトの構成＞
芯あり用ホルダーシャフト５０は、凹部１６と凹部１８に取り外し自在に装着した芯あり用シャフト本体５１を芯ありトイレットペーパーＲ２の挿通孔Ｏ２に差し込むことにより、芯ありトイレットペーパーＲ２を本体部１０内において回転可能に設置することができる。
【００４７】
＜芯あり用シャフト本体の構成＞
芯あり用シャフト本体５１は、扁平形状をしており、基部に上下に開口した回転用パイプ５３が設けられている。この回転用パイプ５３を、第三軸部材５５に設けられた支持軸５７に遊嵌した状態で第三軸部材５５を凹部１６に装着することで、芯あり用シャフト本体５１は、回転用パイプ５３を軸として水平方向に回転自在となる。また、回転用パイプ５３を、第四軸部材６５に設けられた支持軸６７に遊嵌した状態で第四軸部材６５を凹部１８に装着することで、芯あり用シャフト本体５１は、回転用パイプ５３を軸として水平方向に回動自在となる。
【００４８】
芯あり用シャフト本体５１と支持軸５７との間、及び芯あり用シャフト本体５１と支持軸６７との間には、シャフトばね５４が介装されている。シャフトばね５４は、回転用パイプ５３を軸として芯あり用シャフト本体５１を水平回動させた場合に、芯あり用シャフト本体５１を元の位置に復帰させるように芯あり用シャフト本体に弾性力を与える。
【００４９】
＜第三軸部材の構成＞
図７に示すように、第三軸部材５５は、前後方向に延びる水平部５６と、水平部５６の上面前方寄りから上方へ延びて回転用パイプ５３が遊嵌される支持軸５７と、水平部５６の後端に設けられた取付部５８と、を有する。
【００５０】
支持軸５７は、第一軸部材２５の支持軸２７と同様に、前方の半円筒部の上部に設けられて前方に向かって突出した前方フック５７ａと、後方の半円筒部の上部に設けられて後方に向かって突出した後方フック５７ｂと、を有する。第三軸部材５５を凹部１６に装着した状態においては、貫通孔１６ａに挿入された支持軸５７の前方フック５７ａと後方フック５７ｂが、貫通孔１６ａの上方の被係止部１６ｂに係止している。
【００５１】
取付部５８は、第一軸部材２５の取付部２８と同じく、第三軸部材５５が凹部１６に取り外し自在に装着できるようにするためのものであり、左右に突出した凸部５８ａが被取付部１６ｃと係止しており、凸部５８ａと被取付部１６ｃとの係止方法がスナップフィットであるため、下端において後方に突出した操作部５８ｂを操作することにより、凸部５８ａと被取付部１６ｃとの係止を解除することが可能である。
【００５２】
＜第四軸部材の構成＞
図８に示すように、第四軸部材６５は、前後方向に延びる水平部６６と、水平部６６の上面前方寄りから上方へ延びて回転用パイプ５３が遊嵌される支持軸６７，６７と、水平部６６の後端に設けられた取付部６８と、を有する。
【００５３】
支持軸６７は、第二軸部材３５の支持軸３７と同様に、前方の半円筒部の上部に設けられて前方に向かって突出した前方フック６７ａと、後方の半円筒部の上部に設けられて後方に向かって突出した後方フック６７ｂと、を有する。第四軸部材６５を凹部１８，１８に装着した状態においては、貫通孔１８ａに挿入された支持軸６７の前方フック６７ａと後方フック６７ｂが、貫通孔１８ａの上方の被係止部１８ｂに係止している。
【００５４】
取付部６８は、第二軸部材３５の取付部３８と同じく、第四軸部材６５が凹部１８，１８に取り外し自在に装着できるようにするためのものであり、左右に突出した凸部６８ａが被取付部１８ｃと係止しており、凸部６８ａと被取付部１８ｃとの係止方法がスナップフィットであるため、下端において後方に突出した操作部６８ｂを操作することにより、凸部６８ａと被取付部１８ｃとの係止を解除することが可能である。
【００５５】
使用者が芯ありトイレットペーパーＲ２をホルダー本体５内に設置する際には、芯ありトイレットペーパーＲ２を前方から左右の芯あり用シャフト本体５１に突き当てるように押し込み、芯あり用シャフト本体５１を後方に水平回動させる。そして、芯ありトイレットペーパーＲ２の挿通孔Ｏ２が芯あり用シャフト本体５１の先端まで到達すると、芯あり用シャフト本体５１がシャフトばね５４の作用により元の位置に復帰して芯あり用シャフト本体５１が挿通孔Ｏ２の左右から差し込まれる。これにより、ホルダー本体５内への芯ありトイレットペーパーＲ２の設置が完了する。
【００５６】
図１，５に示すように、ペーパーホルダーＡ２における、ホルダー本体５の底面に対する芯ありトイレットペーパーＲ２と当接する芯あり用シャフト本体５１の上端の高さ位置Ｌ２は、ペーパーホルダーＡ１における、ホルダー本体５の底面に対する芯なしトイレットペーパーＲ１と当接する芯なし用シャフト本体２１の上端の高さ位置Ｌ１よりも高くなっている。また、これに伴って、ペーパーホルダーＡ１における、紙切板４０の回動軸Ｆとホルダー本体５内に設置された芯なし用トイレットペーパーＲ１の挿通孔Ｏ１の中心軸Ｘ１との最短距離Ｙ１と、ペーパーホルダーＡ２における、紙切板４０の回動軸Ｆとホルダー本体５内に設置された芯あり用トイレットペーパーＲ２の挿通孔Ｏ２の中心軸Ｘ２との最短距離Ｙ２は、ほぼ同一となっている。
【００５７】
＜軸部材の取り外し方法＞
次に、図９，１０を参照して、本発明の実施形態による芯なし用支持部材のホルダー本体からの取り外し方について説明する。図９は、本発明の実施形態による芯なし用ホルダーシャフトを側板部に取り付けたときの下方から視た拡大図である。図１０は、本発明の実施形態による芯なし用ホルダーシャフトをホルダー本体から外す方法を説明した図である。
【００５８】
図９に示すように、凹部１６の後部側には段状の被取付部１６ｃが設けられている。第一軸部材２５が凹部１６に装着された状態においては、取付部２８の凸部２８ａの下面と被取付部１６ｃの上面とが係止している。
【００５９】
また、図１０（ａ）に示すように、第一軸部材２５が凹部１６に装着された状態においては、第一軸部材２５の支持軸２７が貫通孔１６ａに挿入されて前方フック２７ａと後方フック２７ｂが貫通孔１６ａの上方の被係止部１６ｂで係止している。なお、前方フック２７ａは、上面が先端に向かって下方に傾斜しており、下面が平坦である。後方フック２７ｂは、上面が先端に向かって下方に傾斜しており、下面が先端に向かって上方に傾斜している。
【００６０】
この状態から、芯なし用シャフト本体２１の回転用パイプ２３を支持軸２７に遊嵌した第一軸部材２５を凹部１６から取り外すためには、まず、指などを操作部２８ｂの後端に引っ掛け、前方に向けて押し込む。凸部２８ａと被取付部１６ｃとの係止方法はスナップフィットであるため、これにより取付部２８が変形して凸部２８ａと被取付部１６ｃとの係止が解除される。
【００６１】
そして、図１０（ｂ）に示すように、凸部２８ａと被取付部１６ｃとの係止を解除した状態で、第一軸部材２５の取付部２８側を下方へ回動させる。このとき、前方フック２７ａは下面が平坦であるため被係止部１６ｂに対して係止した状態のままだが、後方フック２７ｂの下面は先端に向けて上方へ傾斜しているため、後方フック２７ｂが貫通孔１６ａ内を摺動しつつ被係止部１６ｂとの係止を解除して下方へ下がる。
【００６２】
後方フック２７ｂが貫通孔１６ａから抜けるまで第一軸部材２５の取付部２８側を下方へ回動させた後に、前方フック２７ａと被係止部１６ｂとの係止を解除して第一軸部材２５を下方へ移動させることで、図１０（ｃ）に示すように、支持軸２７が貫通孔１６ａから完全に抜けて、芯なし用シャフト本体２１が取り付けられた第一軸部材２５を凹部１６から取り外すことができる。
【００６３】
＜軸部材の取り付け方法＞
次に、図１１を参照して、本発明の実施形態による芯なし用ホルダーシャフトのホルダー本体への取り付け方法について説明する。図１１は、本発明の実施形態による芯なし用ホルダーシャフトをホルダー本体へ取り付ける方法を説明した図である。
【００６４】
図１１（ａ）に示すように、芯なし用シャフト本体２１の回転用パイプ２３を支持軸２７に遊嵌した第一軸部材２５を、支持軸２７が貫通孔１６ａに挿入されるように凹部１６の下方から上方に向けて押し込む。このとき、前方フック２７ａの上面と後方フック２７ｂの上面はどちらも先端に向けて下方へ傾斜しているため、前方フック２７ａと後方フック２７ｂが貫通孔１６ａ内を摺動しながら、支持軸２７が貫通孔１６ａ内へ挿入される。また、取付部２８が被取付部１６ｃに押し込まれて変形しながら上方へ挿入される。
【００６５】
そして、前方フック２７ａと後方フック２７ｂが被係止部１６ｂに係止し、且つ、取付部２８の凸部２８ａの下面が被取付部１６ｃの上面を乗り越えて凸部２８ａと被取付部１６ｃが係止するまで第一軸部材２５を上方へ押し込むことにより、図１１（ｂ）に示すように、芯なし用シャフト本体２１が取り付けられた第一軸部材２５を凹部１６に装着することができる。
【００６６】
なお、図１２は、本発明の実施形態による芯なし用ホルダーシャフトを仕切板部に取り付けたときの下方から視た拡大図である。図１２に示すように、凹部１６と同様に、凹部１８，１８の後部側には段状の被取付部１８ｃが設けられている。第二軸部材３５が凹部１８に装着された状態においては、取付部３８の凸部３８ａの下面と被取付部１８ｃの上面とが係止している。また、第二軸部材３５の支持軸３７に設けられた前方フック３７ａは、第一軸部材２５の支持軸２７に設けられた前方フック２７ａと同様に、上面が先端に向かって下方に傾斜しており、下面が平坦である。さらに、後方フック３７ｂは、第一軸部材２５の支持軸２７に設けられた後方フック２７ｂと同様に、上面が先端に向かって下方に傾斜しており、下面が先端に向かって上方に傾斜している。したがって、凹部１８，１８に対する第二軸部材３５の取り付け及び取り外しは、凹部１６に対する第一軸部材２５の取り付け及び取り外しと同様の方法により行うことができる。
【００６７】
また、凹部１６に対する第三軸部材５５の取り付け及び取り外しと、凹部１８，１８に対する第四軸部材６５の取り付け及び取り外しも、凹部１６に対する第一軸部材２５の取り付け及び取り外しと同様の方法により行うことができる。
【００６８】
＜作用・効果＞
次に、本発明の実施形態によるペーパーホルダーの作用効果を説明する。
【００６９】
本発明の実施形態においては、ホルダー本体５に対して、芯なし用ホルダーシャフト２０と芯あり用ホルダーシャフト５０を取り替え自在に装着可能とすることで、芯なしトイレットペーパー対応のペーパーホルダーＡ１又は芯ありトイレットペーパー対応のペーパーホルダーＡ２とすることができ、凹部１６及び凹部１８，１８に取り付ける部材を着脱して付け替えることにより、もう一方の種類のトイレットペーパーにも対応することができる。また、ペーパーホルダーＡ１は回転自在である芯なし用シャフト本体２１によって芯なしトイレットペーパーＲ１を支持し、ペーパーホルダーＡ２は水平回転が自在である芯あり用シャフト本体５１によって芯ありトイレットペーパーＲ２を支持する仕様のペーパーホルダーなので、ホルダーシャフトを設けずに収納室を備えたペーパーホルダーに比べて、ペーパーホルダーの設置スペースの制約や意匠性の低下を抑制することができ、トイレットペーパーの交換が容易である。さらに、芯なし用ホルダーシャフト２０又は芯あり用ホルダーシャフト５０がホルダー本体に装着された状態において、被取付部１６ｃと被取付部１８ｃが、芯なし用シャフト本体２１又は芯あり用シャフト本体５１よりも後方に設けられているため、トイレットペーパーを引き出すときやトイレットペーパーを交換する際において、トイレットペーパーや使用者の手が被取付部１６ｃ又は被取付部１８ｃに接触することで、芯なし用ホルダーシャフト２０又は芯あり用ホルダーシャフト５０がホルダー本体５から誤って外れてしまうのを抑制することができる。
【００７０】
また、ペーパーホルダーＡ２における、ホルダー本体５の底面に対する芯ありトイレットペーパーＲ２と当接する芯あり用シャフト本体５１の上端の高さ位置Ｌ２は、ペーパーホルダーＡ１における、ホルダー本体５の底面に対する芯なしトイレットペーパーＲ１と当接する芯なし用シャフト本体２１の上端の高さ位置Ｌ１よりも高くなっている。芯ありトイレットペーパーＲ２の挿通孔Ｏ２の径は、芯なしトイレットペーパーＲ１の挿通孔Ｏ１の径よりも大きいことから、Ｌ１とＬ２が同じ高さ、もしくはＬ１がＬ２よりも高いと、ペーパーホルダーＡ１に設置した芯なしトイレットペーパーＲ１と、ペーパーホルダーＡ２に設置した芯ありトイレットペーパーＲ２との位置が異なってしまい、紙切板４０によるカット性能が低下してしまう。したがって、Ｌ２をＬ１よりも高くすることで、ペーパーホルダーＡ１における、紙切板４０の回動軸Ｆに対するホルダー本体５内に設置された芯なしトイレットペーパーＲ１の挿通孔Ｏ１の中心軸Ｘ１の最短距離Ｙ１と、ペーパーホルダーＡ２における、紙切板４０の回動軸Ｆに対するホルダー本体５内に設置された芯ありトイレットペーパーＲ２の挿通孔Ｏ２の中心軸Ｘ２の最短距離Ｙ２をなるべく同じにすることができ、トイレットペーパーの高さ位置の違いによる紙切板４０によるカット性能の低下を抑制することができる。
【００７１】
また、凸部２８ａと被取付部１６ｃとの係止方法がスナップフィットである。これにより、トイレットペーパーを引き出したりトイレットペーパーを交換したりする際においては、芯なし用ホルダーシャフト２０が凹部１６から外れにくく、芯なし用ホルダーシャフト２０を凹部１６から取り外す際は取り外しが容易である。凸部３８ａと被取付部１８ｃとの係止、凸部５８ａと被取付部１６ｃとの係止、及び凸部６８ａと被取付部１８ｃとの係止についても同様である。
【００７２】
＜変形例＞
以上、本願の開示する技術の実施形態について説明したが、本願の開示する技術は、上記に限定されるものではない。
【００７３】
例えば、上記実施形態においては、ペーパーホルダーＡ１，Ａ２は、２個のロールペーパーＲを装着できる２連式のものとしたが、本発明はこれに限らず、１個のロールペーパーＲを装着できる１連式のものであってもよく、また３個以上のロールペーパーＲを装着できるものであってもよい。すなわち、本発明に係る紙巻器は、ロールペーパーＲを収容する箱状の本体部１０を少なくとも１つ有する構成であればよい。
【００７４】
前述した各実施の形態が備える各要素は、技術的に可能な限りにおいて組み合わせることができ、これらを組み合わせたものも本発明の特徴を含む限り本発明の範囲に包含される。
【符号の説明】
【００７５】
Ａ１    ペーパーホルダー（芯なしトイレットペーパー対応）
Ａ２    ペーパーホルダー（芯ありトイレットペーパー対応）
Ｒ１    芯なしトイレットペーパー
Ｒ２    芯ありトイレットペーパー
Ｏ１    挿通孔
Ｏ２    挿通孔
５      ホルダー本体
１０    本体部
１１    天板部
１３    背板部
１５    側板部（側板）
１５ａ  被軸支部
１６    凹部
１６ａ  貫通孔
１６ｂ  被係止部
１６ｃ  被取付部
１７    仕切板部（側板）
１７ａ  被軸支部
１８    凹部
１８ａ  貫通孔
１８ｂ  被係止部
１８ｃ  被取付部
２０    芯なし用ホルダーシャフト
２１    芯なし用シャフト本体
２１ａ  先端
２３    回転用パイプ
２４    コイルばね
２５    第一軸部材
２６    水平部
２７    支持軸
２７ａ  前方フック
２７ｂ  後方フック
２８    取付部
２８ａ  凸部
２８ｂ  操作部
３０    シャフト受け
３２    シャフト受け部
３３    回転用パイプ
３５    第二軸部材
３６    水平部
３７    支持軸
３７ａ  前方フック
３７ｂ  後方フック
３８    取付部
３８ａ  凸部
３８ｂ  操作部
４０    紙切板
４１    軸支部
４２    紙切部
５０    芯あり用ホルダーシャフト
５１    芯あり用シャフト本体
５３    回転用パイプ
５４    シャフトばね
５５    第三軸部材
５６    水平部
５７    支持軸
５７ａ  前方フック
５７ｂ  後方フック
５８    取付部
５８ａ  凸部
５８ｂ  操作部
６５    第四軸部材
６６    水平部
６７    支持軸
６７ａ  前方フック
６７ｂ  後方フック
６８    取付部
６８ａ  凸部
６８ｂ  操作部
Ｆ      回動軸
【図１】
2017051332.tif 000003
【図２】
2017051332.tif 000004
【図３】
2017051332.tif 000005
【図４】
2017051332.tif 000006
【図５】
2017051332.tif 000007
【図６】
2017051332.tif 000008
【図７】
2017051332.tif 000009
【図８】
2017051332.tif 000010
【図９】
2017051332.tif 000011
【図１０】
2017051332.tif 000012
【図１１】
2017051332.tif 000013
【図１２】
2017051332.tif 000014